(57)【要約】【課題】パイル層を有する物品のパイル面に、安全且つ強固に、デコレーション用パーツを装飾固定する方法の提供。【解決手段】本発明のデコレーション用パーツの装飾固定方法は、パイル層を有する物品のパイル面にデコレーション用パーツを装飾固定する方法であって、前記パイル層が合成繊維パイル糸を有する基布であり、前記デコレーション用パーツの装飾固定予定部分において、前記合成繊維パイル糸の先端部を熱コテにより熱溶合させて、前記デコレーション用パーツと略同型、かつ底部が略平坦な陥没孔を形成し、この陥没孔底部、および、前記デコレーション用パーツの底部の中間に接着層を形成して、前記デコレーション用パーツを前記パイル層内に装飾固定し、前記陥没孔の深さをｄ、前記デコレーション用パーツの高さをHとするとき、Ｈ／ｄを０．６〜１．６とする。【選択図】図１
2015021199.tif 000002
【特許請求の範囲】
【請求項１】
パイル層を有する物品のパイル面にデコレーション用パーツを装飾固定する方法であって、前記パイル層が合成繊維パイル糸を有する基布であり、前記デコレーション用パーツの装飾固定予定部分において、前記合成繊維パイル糸の先端部を熱コテにより熱溶合させて、前記デコレーション用パーツと略同型、かつ底部が略平坦な陥没孔を形成し、この陥没孔底部と前記デコレーション用パーツの底部との間に接着層を形成して、前記デコレーション用パーツを前記パイル層内に装飾固定し、前記陥没孔の深さをｄ、前記デコレーション用パーツの高さをＨとするとき、Ｈ／ｄを０．６〜１．６とすることを特徴とする、デコレーション用パーツの装飾固定方法。
【請求項２】
前記デコレーション用パーツが、ガラス製、合成樹脂製、金属製、天然石製、人工石製、および、人造石製から選択された１種以上からなる、ラインストーンまたはビーズである、請求項１に記載のデコレーション用パーツの装飾固定方法。
【請求項３】
前記合成繊維パイル糸が、ポリプロピレン繊維、ポリアミド繊維、および、ポリエステル繊維のいずれか１種からなる、請求項１または２に記載の、デコレーション用パーツの装飾固定方法。
【請求項４】
前記接着層が、ホットメルト接着剤、活性エネルギー線硬化接着剤、および、湿気硬化型接着剤のいずれか1種からなる、請求項１から３いずれか1項に記載の、デコレーション用パーツの装飾固定方法。
【請求項５】
前記パイル層を有する物品が、カーマット、カーペット、玄関マット、および、ぬいぐるみのいずれか1種である、請求項１から４いずれか１項に記載の、デコレーション用パーツの装飾固定方法。
【発明の詳細な説明】
【技術分野】
【０００１】
本発明は、パイル層を有する物品のパイル面にデコレーション用パーツを装飾固定する方法に関するものである。さらに詳しく述べるならば、本発明は、カーマット、カーペット、玄関マット、および、ぬいぐるみ、などパイル層を有する物品のパイル面に、デコレーション用パーツを、安全且つ強固に装飾固定する方法に関するものである。
【背景技術】
【０００２】
近年、衣料、携帯電話、ネイルアートなどの分野で、クリスタルガラス、樹脂ビーズ、天然石などからなるデコレーション用パーツを、表面に固定する装飾法が行われている。しかし、これらは、比較的平坦な面上に、接着剤や両面テープによってデコレーション用パーツを固定する方法であり、同様にして、カーペット類やタオル地など表面パイル層を有する物品に、接着剤や両面テープでデコレーション用パーツを固定しようとしても、パイル糸の毛先と接着剤との間に充分な接触面積を得ることができずに、固定強度が不足して使用中に簡単に脱落してしまう問題があった。また、接着剤で固定するためにデコレーション用パーツを押し付ける際にパイルの毛先が負けてしまい、毛先の長いカットパイルの場合は特に、位置がずれたり、傾いた状態で取り付けられてしまう問題もあった。
【０００３】
この問題に対して、金属性のピンの頭部にデコレーション用パーツを固定し、そのピンをカーペットのパイル面側から突き刺して、裏側に抜け出たピン先を留め具に圧入し、かしめて固定する方法が開示されている。（特許文献１参照）この方法によれば、表面パイル層を有する物品にデコレーション用パーツを固定する事が可能となるが、パイルの毛足の長さに応じてピンの長さを変えなければいけないため汎用性を欠き、しかも使用中にピンが抜けたり、折れたりして脱落し易く、脱落したピンが人体を傷つける懼れがあった。
【０００４】
従って、パイル層を有する物品のパイル面に、デコレーション用パーツを安全且つ強固に固定することができ、しかも汎用性に優れた方法は、現在までのところ提案されていない。
【先行技術文献】
【特許文献】
【０００５】
【特許文献１】特開２００７−２６１４７９号公報
【発明の概要】
【発明が解決しようとする課題】
【０００６】
本発明は、カーマット、カーペット、玄関マット、および、ぬいぐるみなど、パイル層を有する物品のパイル面に、ピンなどの金属製の鋭利な部品を用いる事無く安全に、且つ強固に、パイル糸の毛足の長さに関わり無く汎用性を有して、デコレーション用パーツを装飾固定する方法を提供しようとするものである。
【課題を解決するための手段】
【０００７】
本発明者らは、上記課題を解決するため鋭意検討を行った結果、パイル層を有する物品のパイル面のデコレーション用パーツの装飾固定予定部分において、パイル糸の先端部を熱コテにより熱溶合させて、デコレーション用パーツと略同型、かつ底部が略平坦な陥没孔を形成し、この陥没孔底部に接着層を介してデコレーション用パーツを装飾固定し、更にこのとき、陥没孔の深さと、デコレーション用パーツの高さの比を特定の値にすることによって上記課題を解決することができることを見出し、本発明を完成するに至った。
【０００８】
すなわち本発明のデコレーション用パーツの装飾固定方法は、パイル層を有する物品のパイル面にデコレーション用パーツを装飾固定する方法であって、前記パイル層が合成繊維パイル糸を有する基布であり、前記デコレーション用パーツの装飾固定予定部分において、前記合成繊維パイル糸の先端部を熱コテにより熱溶合させて、前記デコレーション用パーツと略同型、かつ底部が略平坦な陥没孔を形成し、この陥没孔底部と前記デコレーション用パーツの底部との間に接着層を形成して、前記デコレーション用パーツを前記パイル層内に装飾固定し、前記陥没孔の深さをｄ、前記デコレーション用パーツの高さをＨとするとき、Ｈ／ｄを０．６〜１．６とすることを特徴とする。
【０００９】
本発明のデコレーション用パーツの装飾固定方法において、前記デコレーション用パーツが、ガラス製、合成樹脂製、金属製、天然石製、人工石製、および、人造石製から選択された１種以上からなる、ラインストーンまたはビーズであることが好ましい。
【００１０】
本発明のデコレーション用パーツの装飾固定方法において、前記合成繊維パイル糸が、ポリプロピレン繊維、ポリアミド繊維、および、ポリエステル繊維のいずれか１種からなることが好ましい。
【００１１】
本発明のデコレーション用パーツの装飾固定方法において、前記接着層が、ホットメルト接着剤、活性エネルギー線硬化接着剤、および、湿気硬化型接着剤のいずれか１種からからなることが好ましい。
【００１２】
本発明のデコレーション用パーツの装飾固定方法において、前記パイル層を有する物品が、カーマット、カーペット、玄関マット、および、ぬいぐるみのいずれか1種であることが好ましい。
【発明の効果】
【００１３】
本発明によれば、パイル層を有する基材が用いられた物品のパイル面に、ピンなどの金属製の部品を用いる事無く、安全に、且つ強固に、パイル糸の毛足の長さに関わり無く汎用性を有して、デコレーション用パーツを装飾固定する事ができ、従来困難であったカーマット、カーペット、玄関マット、および、ぬいぐるみなどの物品へのデコレーション用パーツの実用的な装飾を可能とする。
【図面の簡単な説明】
【００１４】
【図１】本発明のデコレーション用パーツの装飾固定方法の一例を示す図
【図２】実施例におけるデコレーション用パーツの配置を示す図
【発明を実施するための形態】
【００１５】
本発明のデコレーション用パーツの装飾固定方法は、合成繊維パイル糸を有する基布からなるパイル層を有する物品のパイル面にデコレーション用パーツを装飾固定する方法であり、デコレーション用パーツの装飾固定予定部分において、合成繊維パイル糸の先端部を熱コテにより熱溶合させて、予めデコレーション用パーツと略同型、かつ底部が略平坦な陥没孔を形成し、この陥没孔底部に接着層を介してデコレーション用パーツを装飾固定するものである。ここでデコレーション用パーツと略同型とは、デコレーション用パーツを取り付けた状態で俯瞰した形状と、陥没孔の孔口の形状が略同型であることを示す。本発明において陥没孔は、合成繊維パイル糸の先端部を熱コテにより熱溶合させて形成するため、形状、大きさを精密に制御することは困難だが、例えば、ブリリアントカットの様に俯瞰した形状が円形に近いファセット（切子面）カットのデコレーション用パーツを用いる場合、ファセットカットの多角形を精密に孔口に再現するのではなく、それに近い形状として円形にすればよく、俯瞰した形状が四角いスクエアーカットなら四角形にすればよい。また、孔口の大きさについては、デコレーション用パーツを俯瞰した大きさに対して、±１０％（長さ比）の範囲であることが好ましい。陥没孔の孔口の形状および大きさを、上述の様にすれば、デコレーション用パーツを挿入する際に、陥没孔の側壁部とデコレーション用パーツとが干渉せず、デコレーション用パーツを傾ける事無く、陥没孔底部に固定することができる。
【００１６】
同様に、陥没孔底部も完全に平坦にすることは困難であるが、略平坦とすれば、陥没孔底部においてパイル糸の毛羽が抑制され、接着層との接触面積を充分にとる事ができ、デコレーション用パーツとの接着を強固なものにすることができる。ここで、陥没孔の深さをｄ、前記宝飾パーツの高さをHとしたとき、Ｈ／ｄを０．６〜１．６とする必要があり、０．８〜１．２であることがより好ましい。H／ｄを０．６〜１．６とすることで、デコレーション用パーツがパイル層内に適度に埋め込まれ、斜め方向から見てもデコレーション用パーツを視認する事ができて意匠性に優れ、かつ、人が脚で踏んだり、手で触ったりなど外力が加えられた時のデコレーション用パーツの脱落が起こり難くなる。Ｈ／ｄが０．６未満であるとデコレーション用パーツがパイル層内に埋没してしまい、斜め方向から見た時に見え難くなって意匠性が劣る事があり、Ｈ／ｄが１．６を越えると、パイル層上へのデコレーション用パーツの突出が大きくなり、外力が加えられた時にデコレーション用パーツにかかる力が大きくなって、脱落しやすくなることがある。
【００１７】
本発明においてデコレーション用パーツとしては、ガラス製、合成樹脂（例えばアクリル樹脂、エポキシ樹脂、およびＵＶ硬化樹脂）製、金属（例えばアルミニウム、銅、銀、鉄、真鍮、およびステンレス）製、各種天然石（水晶、アメジスト、ルビーなど天然に産する宝石）・人工石（天然石と同じ成分で人工的に合成した石）製、および、人造石（キュービックジルコニアなど、天然には産しない成分からなる模造宝石）製から選択された１種以上からなるラインストーンまたはビーズが好ましく用いられ、これらは、無色透明、有彩色透明、有彩色不透明の何れであっても良い。また、これらに、部分的（通常は裏面）にアルミニウム、銅などの金属を蒸着して輝きを増した、いわゆるフォイルバックのラインストーンやビーズを用いても良い。デコレーション用パーツの大きさには特に制限は無いが、長径（デコレーション用パーツを俯瞰した時に、差し渡しの長さで最も長い部分）１〜３０ｍｍ、高さ（デコレーション用パーツを横から見た時に、頂点から底部までの長さ）１〜１２ｍｍであることが好ましい。デコレーション用パーツの形状にも特に限定は無く、宝石の様に切子面を持たせたファセットカット形状、球形、卵形、そろばん玉型、ハート型、星型など、所望の形状から適宜選択して用いる事ができるが、本発明においては特に、少なくとも１面が平らに成型された形状であるものが、陥没孔底部への接着の容易さから好ましい。ここで、１面を平らに成型とは、例えば、ファセットカット形状の上部（クラウン部分）のみを模して、裏側を平らにカットした形状などを例示することができ、この際、カット面に、アルミニウム、銅などの金属を蒸着したものを用いれば、より光輝性の高い装飾効果を得ることができる。
【００１８】
本発明において、パイル層を有する物品の合成繊維パイル糸には、熱溶融可能な合成繊維からなるパイル糸であれば特に限定は無く、従来よりパイル糸に用いられているポリプロピレン繊維、ポリアミド繊維、および、ポリエステル繊維などから適宜選択して用いることができる。これらの繊維は、耐久性に優れるばかりでなく、耐熱性にも優れる為、７０〜８０℃程度の高温に曝される懼れのある用途（例えばカーマットの場合、炎天下に駐車した際の車内温度が７０℃を越える場合がある）向けの物品にデコレーション用パーツを装飾固定する場合や、ホットメルト接着剤でデコレーション用パーツを装飾固定する場合などには、特に好ましく用いられる。また、高温に曝される懼れのない物品向けであれば、アクリル繊維からなるパイル糸が用いられてもよい。
【００１９】
本発明においてパイル糸を有する基布としては、織布、編布、および不織布から選ばれた基材にパイル糸を打ち込んで、パイルの抜けを防ぐために裏面にラテックスなどをコーティングして固定したタフテッドカーペットなどのカーペット類や、製織時に、地糸とは別に、経糸または緯糸にパイル用の糸を添えて織り上げた織布（添毛織り）などが例示される。表面から見たパイル糸の形状は、ループパイル、カットパイル、およびループパイルとカットパイルの混合、の何れであってもよい。また、特にタオル地の場合、一般にループパイルを有するものをパイル地と称し、カットパイルを有するものをシャーリング地と称して区別されているが、本発明においては、パイル地、シャーリング地ともにパイル糸を有する基布に包含する。
【００２０】
本発明においてパイル層を有する物品としては、そのパイル層が合成繊維パイル糸を有する基布であれば特に限定は無いが、例えば、カーマット、カーペット、玄関マット、などのカーペット類、および、タオル地やベルベットを用いたぬいぐるみなど、を例示することができる。
【００２１】
本発明において接着層に用いる接着剤としては、短時間に硬化するものであれば限定は無く、従来公知の接着剤から適宜選択して用いる事ができるが、ホットメルト系接着剤、活性エネルギー線（紫外線、電子線）硬化接着剤、および、湿気硬化型接着剤（瞬間接着剤）は、接着処理後に乾燥や硬化に時間を要さない点から作業性に優れ、特に好ましく用いる事ができる。ここで、ホットメルト接着剤としては、変性ポリオレフィン系、ＥＶＡ系、および、ポリアミド系を例示することができ、活性エネルギー線硬化接着剤としては、アクリル系、不飽和ポリエステル系、エポキシ系、ビニルエーテル系を例示する事ができ、湿気硬化型接着剤としては、シアノアクリレート系、および、シリコーンゴム系を例示することができる。
【００２２】
ここで、本発明を図を用いて説明する。図１は、本発明のデコレーション用パーツの装飾固定方法の一例を説明した図である。図１において、パイル層（１）は、不織布に合成樹脂パイル糸を打ち込み、パイル糸の抜けを防ぐために裏面にラテックスをコーティングして固定した、タフテッドカーペット（カットパイル）であり、更に、ラテックスをコーティングした側に、裏打ち材として、更に樹脂シート（２）が積層されている。デコレーション用パーツ（３）の装飾固定位置においては、パイル糸（４）の先端部が熱コテにより溶かされ、デコレーション用パーツと略同型の陥没孔（５）が形成され、陥没孔底部（６）では繊維が溶合して略平坦な面が形成されている。陥没孔（５）の孔口の形状がデコレーション用パーツと略同型であり、大きさも±１０％以内であるため、デコレーション用パーツを挿入する際に、陥没孔の側壁部とデコレーション用パーツとが干渉せず、デコレーション用パーツを傾く事無く、陥没孔底部に固定されている。また、陥没孔底部（６）では繊維が溶合して略平坦な面が形成されているため、陥没孔底部（６）とデコレーション用パーツ（３）の底部とは、接着層（７）により強固に固定されている。この時、陥没孔の深さをｄとし、デコレーション用パーツの高さをＨとして、Ｈ／ｄが０．６〜１．６となる様にすれば、デコレーション用パーツがパイル層内に適度に埋め込まれ、斜め方向から見てもデコレーション用パーツを視認する事ができて意匠性に優れ、かつ、人が脚で踏んだり、手で触ったりなど外力が加えられた時のデコレーション用パーツの脱落が起こり難くなる。
【実施例】
【００２３】
以下、本発明について、実施例・比較例を挙げて具体的に説明するが、本発明はこれに限定されるわけではない。
【００２４】
実施例、比較例において、パイル層を有する物品としては、以下構成のカーマットを用いた。
（１）パイル層
・基材：ポリエステル繊維製スパンボンド不織布（目付け１００ｇ／ｍ２）
・パイル糸：ポリプロピレン繊維糸（カットパイル：目付け３０００ｇ／ｍ２）
・パイル長：１８ｍｍ
・裏面コート：ＳＢＲラテックスエマルジョン（乾燥付着量２００ｇ／ｍ２）
（２）裏打ち層
・オレフィン系熱可塑性エラストマー（商品名：オレフレックスＰ１００Ｇ／日本
ポリオレフィン社製：）を用い、Ｔダイスにて厚さ１．１ｍｍ（質量１３００ｇ
／ｍ２）の押し出しシートを成型し、溶融状態のままパイル層のＳＢＲラテック
スエマルジョンコート側に圧着積層。
【００２５】
［実施例１］
直径４．８ｍｍで、先端が平らな円柱状の熱コテを、２５０℃に熱して、カーマットのパイル面に垂直に押し付け、孔口の直径４．９ｍｍの略円形で、深さ（ｄ）２ｍｍで底部が略平坦な陥没孔を形成した。次に、１４０℃で溶融させた変性オレフィン系ホットメルト接着剤（商品名：アロンメルトＰＰＥＴ１２０１／東亞合成社製）を、陥没孔底部に塗布し、速やかにデコレーション用パーツを挿入して、軽く押し付けて接着した。デコレーション用パーツとしては、ファセットカット形状の上部（クラウン部分）のみを模して裏側が平らな形状を有し、裏面にアルミニウム蒸着を施した、スワロフスキー社製＃２０５８／ＳＳ２０（クリスタルガラス製；俯瞰した形状が直径４．８ｍｍの略円形で、高さ（Ｈ）が２．２ｍｍ）のラインストーンを用い、平らな裏面側を接着面とした。固定されたデコレーション用パーツの高さＨと、陥没孔の深さｄとの関係Ｈ／ｄは１．１であった。同様にして、デコレーション用パーツを図２の様に個々の間隔が４．５ｍｍとなるようアルファベットのＨ型に、都合１７個配置して、デコレーション用パーツ付きのカーマットを得た。
【００２６】
実施例１により得たカーマットはＨ／ｄが０．６〜１．６を満たし、斜め方向から見ても全てのデコレーション用パーツを鮮明に視認する事ができ、Ｈ型の模様がきれいに形成されていた。デコレーション用パーツは、パイル層内に強固に固定されており、このカーマットを運転席の足元に配した１年間の実使用テストでも、運転手の足で踏まれたり、こすられたりしても、一つも脱落しなかった。
【００２７】
［比較例１］
陥没孔を形成しなかった以外は、実施例１と同様にして、デコレーション用パーツをパイル面に装飾固定した。
【００２８】
比較例１により得たカーマットは、デコレーション用パーツが全てパイル面上に露出しており、斜め方向から見ても全てのデコレーション用パーツを視認する事ができた。しかし、接着のために押し付けた際にパイル糸の毛先が負けてずれを生じ、正確な位置に取り付ける事ができず、また、いくつかのデコレーション用パーツが傾いた状態で固定されたため、Ｈ型の模様は乱雑となり、意匠性に劣るものであった。このカーマットを運転席の足元に配した１年間の実使用テストでは、運転手の足で踏まれたり、こすられたりして、１７個中１２個のデコレーション用パーツが脱落してしまった。
【産業上の利用可能性】
【００２９】
本発明によれば、パイル層を有する物品のパイル面に、デコレーション用パーツを、安全且つ強固に装飾固定する事ができ、これにより、デコレーション用パーツによる装飾を施した、カーマット、カーペット、玄関マット、および、ぬいぐるみなどの提供が可能となる。
【符号の説明】
【００３０】
１：パイル層
２：樹脂シート
３：デコレーション用パーツ
４：パイル糸
５：陥没孔
６：陥没孔底部
７：接着層
Ｈ：デコレーション用パーツの高さ
ｄ：陥没孔の深さ
【図１】
2015021199.tif 000003
【図２】
2015021199.tif 000004